(57)【要約】      （修正有）【課題】容器本体の上面部が傾斜状態になっていても、容器本体の上面部の上に別の容器本体を安定よく重ねることができるようにしたウエットティシュ収納容器に装着する外装体を得る。【解決手段】両側部を開口する略台形筒状体３６からなり、略台形筒状体３６は、ウエットティシュ収納容器１の底部３７を載せる底面板部３８と、ウエットティシュ収納容器１の前部３９を覆う前面板部４０と、ウエットティシュ収納容器１の背部４１を覆う背面板部４２と、ウエットティシュ収納容器１の上部４３を覆ってウエットティシュ収納容器１の上部４３の最高頂部に接触する上面板部４５とを備えてなり、前面板部４０がウエットティシュ収納容器１の前部３９に接触して傾斜状態で立ち上がり且つ背面板部４２がウエットティシュ収納容器１の背部４１に接触して傾斜状態で立ち上がるように上面板部４５の幅を底面板部３８の幅より狭く設定した構成とした。【選択図】図１３
2014088218.tif 000002
【特許請求の範囲】
【請求項１】
ウエットティシュの取り出しを行う開口部を上面部に有する容器本体の底面部には、ウエットティシュを前部に対して後部が上がった傾斜状態にする傾斜部が設けられ、前記開口部を有する前記容器本体の前記上面部は、前記傾斜部と概ね平行となる傾斜をもって形成されているウエットティシュ収納容器に装着する外装体であって、
両側部を開口する略台形筒状体からなり、前記略台形筒状体は、前記ウエットティシュ収納容器の底部を載せる底面板部と、前記底面板部から起立されていて前記ウエットティシュ収納容器の前部を覆う前面板部と、前記底面板部から起立されていて前記ウエットティシュ収納容器の背部を覆う背面板部と、前記前面板部と前記背面板部に両端に連続して設けられていて前記ウエットティシュ収納容器の上部を覆って前記ウエットティシュ収納容器の上部の最高頂部に接触する上面板部とを備えてなり、
前記前面板部が前記ウエットティシュ収納容器の前部に接触して傾斜状態で立ち上がり且つ前記背面板部が前記ウエットティシュ収納容器の背部に接触して傾斜状態で立ち上がるように前記上面板部の幅が前記底面板部の幅より狭く設定された構成となっていることを特徴とするウエットティシュ収納容器に装着する外装体。
【請求項２】
ウエットティシュの取り出しを行う開口部を上面部に有する容器本体の底面部には、ウエットティシュを前部に対して後部が上がった傾斜状態にする傾斜部が設けられ、前記開口部を有する前記容器本体の前記上面部は、前記傾斜部と概ね平行となる傾斜をもって形成されているウエットティシュ収納容器に装着する外装体であって、
両側部を開口する略台形筒状体からなり、前記略台形筒状体は、前記ウエットティシュ収納容器の底部を載せる底面板部と、前記底面板部から起立されていて前記ウエットティシュ収納容器の前部を覆う前面板部と、前記底面板部から起立されていて前記ウエットティシュ収納容器の背部を覆う背面板部と、前記前面板部と前記背面板部に両端に連続して設けられていて前記ウエットティシュ収納容器の上部を覆って前記ウエットティシュ収納容器の上部の最高頂部に接触する上面板部とを備えてなり、
前記上面板部には前記前面板部との接続折れ線部に沿って下向きのＶ字折り曲げ部が形成されており、前記Ｖ字折り曲げ部の存在により前記前面板部が前記ウエットティシュ収納容器の前部に接触して傾斜状態で立ち上がり且つ前記背面板部が前記ウエットティシュ収納容器の前記背部に接触して傾斜状態で立ち上がり、前記上面板部と前記前面板部との間の接続折れ線部により形成される頂部と、前記上面板部と前記背面板部との間の接続折れ線部により形成される頂部が同じ高さとなるように設定された構成となっていることを特徴とするウエットティシュ収納容器に装着する外装体。
【発明の詳細な説明】
【技術分野】
【０００１】
本発明は、ウエットティシュ収納容器に装着する外装体に関するものである。
【背景技術】
【０００２】
従来のこの種のウエットティシュ収納容器として、ウエットティシュの取り出しを行う開口部を上面部に有する容器本体に、開口部を開閉する上蓋をヒンジ部を介して開閉自在に設け、ヒンジ部側における容器本体と上蓋の間に、上蓋を開方向に付勢する開方向付勢手段を設け、ヒンジ部とは反対側に位置して容器本体に、付勢手段により付勢され回動して上蓋を閉状態にロックすると共に付勢手段の付勢に抗する回動により閉状態のロックを解除する操作を行う開閉操作手段をヒンジ部を介して回動自在に設けた構造のウエットティシュ収納容器が開示されている（例えば、特許文献１参照。）。
【先行技術文献】
【特許文献】
【０００３】
【特許文献１】特許第４３５４１４１号公報
【発明の概要】
【発明が解決しようとする課題】
【０００４】
しかしながら、前記特許文献１に記載されているウエットティシュ収納容器にあっては、上蓋により容器本体の開口部を閉じたとき、上蓋の内面に設けた筒状の閉鎖リブが容器本体の開口部内周面に嵌合し、閉鎖リブの外周面が開口部の内面に接して開口部がシールされるようになっているので、シール性を高めようとすると閉鎖リブが容器本体の開口部内周面に嵌合し難く操作性が悪くなり、また、操作性を良くしようとするとシール性が悪くなるといった問題があった。
【０００５】
また、開方向付勢手段にあっては板状ばねで形成されていて、この板状ばねの撓みによる復元力で前記上蓋を開く方向に付勢しているが、図１９（Ａ）（Ｂ）に示すように、容器本体７０の上面部７１の後部に上向きに開口した凹部７２を設け、この凹部７２に板状ばね７３の下端部を差し込み、板状ばね７３の上端部は上蓋７４の後部の内面に沿わせて固定具７５により固定して取り付けられており、上蓋７４を閉状態にしたとき、上蓋７４の後部の内面に沿わせて固定具７５により固定された板状ばね７３の上端部が板状ばね７３の下端部と略９０度の角度を為すようにして、板状ばね７３の下端部と上端部との中間部に撓みを生じさせ、この中間部の撓みによる復元力を利用する構造となっているので、板状ばね７３の下端部と上端部との中間部の撓み率が小さく、強い付勢力が得難いといった問題があった。また、板状ばね７３の上端部は上蓋７４の後部の内面に固定具７５により固定して取り付けられているので、固定具７５といった部材を必要とすると共に、構造が複雑化し、その分製造に手間がかかり、コスト高の要因になるといった問題点があった。
【０００６】
また、上蓋を閉状態にロックする方向に開閉操作手段を付勢する付勢手段にあっては、図２０に示すように、開閉操作手段７６の下面に両端が固定された弧状のばね部７７で構成されており、ばね部７７は、その頂部７７ａが容器本体の上面部に当接し、開閉操作手段７６のロック解除方向への回動により圧縮されるようになっており、その復元力で開閉操作手段７６をロックする方向に付勢するするようになっているが、前記のように弧状のばね部７７の両端が開閉操作手段７６に固定されているのでばね部７７の弾性変形に難があり、特に開閉操作手段７６が幅広である場合、ばね部７７の弾性変形が不安定になり、全体を安定的に付勢することが困難であるといった問題があった。
【０００７】
本発明の目的は、上蓋による容器本体の開口部のシール性の向上を図るとともに、容器本体の開口部からウエットティシュを容易に取り出すことにできるウエットティシュ収納容器を提供することにある。
本発明の他の目的は、上蓋を閉じたとき、容器本体の開口部から引き出された状態にあるウエットティシュの引き出し部位が、上蓋を閉じたときに容器本体の開口部のシール性の妨げにならないようにしたウエットティシュ収納容器を提供することにある。
本発明の他の目的は、上蓋を開く方向に付勢する開方向付勢手段が板状ばねであるとき、板状ばねの弾性復元力を効果的に活用できるようにすると共に板状ばねの取り付けを容易にしたウエットティシュ収納容器を提供することにある。
本発明の他の目的は、上蓋を閉状態にロックする方向に開閉操作手段を付勢する付勢手段の安定性を図ることができるウエットティシュ収納容器を提供することにある。
本発明の他の目的は、容器本体の上面部が傾斜状態になっていても、容器本体の上面部の上に別の容器本体を安定よく重ねることができるようにした外装体を提供することにある。
【課題を解決するための手段】
【０００８】
上記の目的を達成するために、請求項１に記載の発明は、ウエットティシュの取り出しを行う開口部を上面部に有する容器本体の底面部には、ウエットティシュを前部に対して後部が上がった傾斜状態にする傾斜部が設けられ、前記開口部を有する前記容器本体の前記上面部は、前記傾斜部と概ね平行となる傾斜をもって形成されているウエットティシュ収納容器に装着する外装体であって、両側部を開口する略台形筒状体からなり、前記略台形筒状体は、前記ウエットティシュ収納容器の底部を載せる底面板部と、前記底面板部から起立されていて前記ウエットティシュ収納容器の前部を覆う前面板部と、前記底面板部から起立されていて前記ウエットティシュ収納容器の背部を覆う背面板部と、前記前面板部と前記背面板部に両端に連続して設けられていて前記ウエットティシュ収納容器の上部を覆って前記ウエットティシュ収納容器の上部の最高頂部に接触する上面板部とを備えてなり、前記前面板部が前記ウエットティシュ収納容器の前部に接触して傾斜状態で立ち上がり且つ前記背面板部が前記ウエットティシュ収納容器の背部に接触して傾斜状態で立ち上がるように前記上面板部の幅が前記底面板部の幅より狭く設定された構成となっていることを特徴とする。
【０００９】
請求項２に記載の発明は、ウエットティシュの取り出しを行う開口部を上面部に有する容器本体の底面部には、ウエットティシュを前部に対して後部が上がった傾斜状態にする傾斜部が設けられ、前記開口部を有する前記容器本体の前記上面部は、前記傾斜部と概ね平行となる傾斜をもって形成されているウエットティシュ収納容器に装着する外装体であって、両側部を開口する略台形筒状体からなり、前記略台形筒状体は、前記ウエットティシュ収納容器の底部を載せる底面板部と、前記底面板部から起立されていて前記ウエットティシュ収納容器の前部を覆う前面板部と、前記底面板部から起立されていて前記ウエットティシュ収納容器の背部を覆う背面板部と、前記前面板部と前記背面板部に両端に連続して設けられていて前記ウエットティシュ収納容器の上部を覆って前記ウエットティシュ収納容器の上部の最高頂部に接触する上面板部とを備えてなり、前記上面板部には前記前面板部との接続折れ線部に沿って下向きのＶ字折り曲げ部が形成されており、前記Ｖ字折り曲げ部の存在により前記前面板部が前記ウエットティシュ収納容器の前部に接触して傾斜状態で立ち上がり且つ前記背面板部が前記ウエットティシュ収納容器の前記背部に接触して傾斜状態で立ち上がり、前記上面板部と前記前面板部との間の接続折れ線部により形成される頂部と、前記上面板部と前記背面板部との間の接続折れ線部により形成される頂部が同じ高さとなるように設定された構成となっていることを特徴とする。
【発明の効果】
【００１０】
請求項１に記載の外装体によれば、上面部が傾斜したウエットティシュ収納容器に装着すると、このウエットティシュ収納容器の傾斜している上面部の上に外装体を構成する略台形筒状体の上面板部がほぼ水平状態で存在することになることから、外装体をウエットティシュ収納容器に装着することにより、容器本体の上面部が傾斜していても外装体を介して上下方向に安定した状態で重ねておくことができ、このことから外装体を用いることによって、上面部が傾斜したウエットティシュ収納容器を店頭に陳列する際に、複数個を積み重ねて陳列することができ、陳列効率の向上を図ることができる。
また、略台形筒状体の筒状の両端は開口されているので、ウエットティシュ収納容器に容易に装着することができ、さらに、略台形筒状体の略台形といった構造上の特徴と、略台形筒状体はウエットティシュ収納容器の外周に接触しており両者の間の空間が小さいといったことから、ウエットティシュ収納容器に装着したときにおける外装体の機械的強度が強く、外装体を装着したウエットティシュ収納容器を積み重ねたとき変形することなく、安定した状態で積み重ね状態を維持することができる。
また、外装体にキャッチコピー等の必要な表示を行うことができ、ウエットティシュ収納容器そのものには殆どこの種の表示を行う必要が無くなるので、消費者に受け入れられ易い無地に近いデザインの容器とすることができる。
【００１１】
請求項２に記載の外装体によれば、上面部が傾斜したウエットティシュ収納容器に装着すると、このウエットティシュ収納容器の傾斜している上面部の上に外装体を構成する略台形筒状体の上面板部と前面板部との間に形成される頂部と、上面板部と背面板部との間に形成される頂部が同じ高さとなって存在することになるので、外装体をウエットティシュ収納容器に装着することにより、容器本体の上面部が傾斜していても外装体を介して上下方向に安定した状態で重ねておくことができ、このことから外装体を用いることによって、上面部が傾斜したウエットティシュ収納容器を店頭に陳列する際に、複数個を積み重ねて陳列することができ、陳列効率の向上を図ることができる。
また、略台形筒状体の筒状の両端は開口されているので、ウエットティシュ収納容器に容易に装着することができ、さらに、略台形筒状体の略台形といった構造上の特徴と、略台形筒状体の上面板部には前面板部との接続折れ線部に沿って下向きのＶ字折り曲げ部が存在し、且つ略台形筒状体はウエットティシュ収納容器の外周に接触しており両者の間の空間が小さいといったことから、ウエットティシュ収納容器に装着したときにおける外装体の機械的強度がより強く、外装体を装着したウエットティシュ収納容器を積み重ねたとき変形することなく、安定した状態で積み重ね状態を維持することができる。
また、外装体にキャッチコピー等の必要な表示を行うことができ、ウエットティシュ収納容器そのものには殆どこの種の表示を行う必要が無くなるので、消費者に受け入れられ易い無地に近いデザインの容器とすることができる。
【図面の簡単な説明】
【００１２】
【図１】本発明に係るウエットティシュ収納容器の一実施例で、上蓋を閉じた状態を示す斜視図である。
【図２】本例のウエットティシュ収納容器で、上蓋を開けた状態を示す斜視図である。
【図３】本例のウエットティシュ収納容器で、上蓋を閉じた状態の縦断面図である。
【図４】本例のウエットティシュ収納容器で、上蓋を閉じた状態における容器本体に取り付けられた本体側シール部材と上蓋に取り付けられた上蓋側シール部材の部位を示す拡大縦断面端面図である。
【図５】本例のウエットティシュ収納容器で用いている板状ばねの斜視図である。
【図６】本例のウエットティシュ収納容器で、上蓋を閉じた状態における容器本体と上蓋とに取り付けられた板状ばねの部位を示す拡大縦断面図である。
【図７】本例のウエットティシュ収納容器で、上蓋を開けた状態における容器本体と上蓋とに取り付けられた板状ばねの部位を示す拡大縦断面図である。
【図８】本例のウエットティシュ収納容器における開閉操作手段の部位を示す拡大縦断面図である。
【図９】本例のウエットティシュ収納容器蓋の開閉操作手段を示す背面図である。
【図１０】図９の左側面図である。
【図１１】本例のウエットティシュ収納容器における容器本体の底部の構成を示す拡大縦断面図である。
【図１２】本発明に係る外装体の第１実施例で、ウエットティシュ収納容器に装着した状態を示す斜視図である。
【図１３】本例の外装体をウエットティシュ収納容器に装着した状態を示す側面図である。
【図１４】比較例の外装体をウエットティシュ収納容器に装着した状態を示す側面図である。
【図１５】比較例の外装体をウエットティシュ収納容器に装着した状態のものを上下に重ねた状態の説明図である。
【図１６】本発明に係る外装体の第２実施例で、ウエットティシュ収納容器に装着した状態を示す斜視図である。
【図１７】本例の外装体をウエットティシュ収納容器に装着した状態を示す側面図である。
【図１８】第２実施例の外装体の展開図である。
【図１９】（Ａ）は従来のウエットティシュ収納容器で、容器本体と上蓋とに取り付けられた板状ばねの取り付け状態における上蓋を閉じた状態の縦断面図、（Ｂ）は上蓋を開けた状態の縦断面図である。
【図２０】従来の付勢手段を備えた開閉操作手段を示す背面図である。
【発明を実施するための形態】
【００１３】
以下、本発明に係るウエットティシュ収納容器及びウエットティシュ収納容器に装着する外装体を図面に示した実施例に基づいて詳細に説明する。
【００１４】
図１乃至図１１は本発明に係るウエットティシュ収納容器の一実施例を示したもので、図１は本発明に係るウエットティシュ収納容器の一実施例で、上蓋を閉じた状態を示す斜視図、図２は本例のウエットティシュ収納容器で、上蓋を開けた状態を示す斜視図、図３は本例のウエットティシュ収納容器で、上蓋を閉じた状態の縦断面図、図４は本例のウエットティシュ収納容器で、上蓋を閉じた状態における容器本体に取り付けられた本体側シール部材と上蓋に取り付けられた上蓋側シール部材の部位を示す拡大縦断面端面図、図５は本例のウエットティシュ収納容器で用いている板状ばねの斜視図、図６は本例のウエットティシュ収納容器で、上蓋を閉じた状態における容器本体と上蓋とに取り付けられた板状ばねの部位を示す拡大縦断面図、図７は本例のウエットティシュ収納容器で、上蓋を開けた状態における容器本体と上蓋とに取り付けられた板状ばねの部位を示す拡大縦断面図、図８は本例のウエットティシュ収納容器における開閉操作手段の部位を示す拡大縦断面図、図９は本例のウエットティシュ収納容器蓋の開閉操作手段を示す背面図、図１０は、図９の左側面図、図１１は本例のウエットティシュ収納容器における容器本体の底部の構成を示す拡大縦断面図である。
【００１５】
本例のウエットティシュ収納容器１は、図１乃至図３に示すように、上面部２に開口部３を有する容器本体４と、開口部３を開閉する上蓋５を有する。容器本体４内にはウエットテッシュ６が収容される。このウエットテッシュ６は、開口部３から所定枚数（例えば、１枚ずつ）が連続的に取り出せるように周知の方法で折り畳まれて容器本体４内に収容される。容器本体４の上面部２に有する開口部３を開閉する上蓋５は、その後部がヒンジ部７を介して容器本体４に開閉自在に取り付けられている。ヒンジ部７は、本例では上蓋５に軸を設け、容器本体４に軸受孔を設けることにより構成されている。ヒンジ部７側における容器本体４と上蓋５との間には、上蓋５を開方向に付勢する開方向付勢手段８が設けられている。ヒンジ部７と反対側の容器本体４には、付勢手段９により付勢され回動して上蓋５を閉状態にロックすると共に付勢手段９の付勢に抗する回動により閉状態のロックを解除する操作を行う開閉操作手段１０がヒンジ部１１を介して回動自在に設けられている。
【００１６】
さらに詳細に説明すると、容器本体４にあっては、図１乃至図３に示すように、前記した上面部２と底面部１２と前面部１３と両側面部１４，１４と背面部１５とで構成されている。上面部２と前面部１３と両側面部１４，１４と背面部１５とは一体に構成されて本体部１６となっている。この本体部１６の下に底面部１２が公知の取り付け手段で着脱可能に取り付けられている。
【００１７】
容器本体４の上面部２における開口部３の周囲には、図２乃至図４に示すように、ゴム製でリング状をした本体側弾性シール部材１７が容器本体４の上面部２の上面に露出するように設けられている。この本体側弾性シール部材１７の上面には、同じゴム製で起立リブ１７ａがリング状に突設されている。
【００１８】
本体側弾性シール部材１７が設けられる容器本体４の上面部２には、開口部３の周囲に沿って嵌め込み凹部１８が設けられ、この嵌め込み凹部１８に本体側弾性シール部材１７が圧入して取り付けられている。嵌め込み凹部１８に対する本体側弾性シール部材１７の取り付けは、接着剤により行うこともできる。また、開口部３の周囲には本体側弾性シール部材１７の内側に沿って起立する内壁部１９が設けられている。この内壁部１９はその上端が少なくとも本体側弾性シール部材１７の上面より上に出ていることを要する。
本体側弾性シール部材１７としては、ゴム弾性を有するものであれば様々な素材が使用可能であるが、ウエットテッシュ６に含まれる薬液への耐久性を考慮するとシリコーン、エチレンプロピレン、クロロプレン、ブチル、天然ゴム、クロロスルフォン化ポリエチレン、エピクロルヒドリン、熱可塑性エラストマー（ＴＰＥ）が好ましい。この中では複雑な形状を安価に射出成形できるものとして熱可塑性エラストマー（ＴＰＥ）が最も好ましい。また、硬度（ＪＩＳ  Ｋ６２５３）は５０から７０度が好ましい。
【００１９】
また、上蓋５の下面には、図２乃至図４に示すように、ゴム製の上蓋側弾性シール部材２０が前記した本体側弾性シール部材１７に対向するように上蓋５の下面に露出するように設けられている。上蓋５の下面には、上蓋側弾性シール部材２０を取り付ける箇所にリング状にブラケット２１が突設され、このブラケット２１の内側に前記の上蓋側弾性シール部材２０が嵌め込まれて取り付けられている。上蓋側弾性シール部材２０の取り付けは、接着剤により行うこともできる。
【００２０】
また、上蓋５に設けられた上蓋側弾性シール部材２０によって囲まれた部分には、開口部３から飛び出たウエットティシュ６の引き出し部位を収容する収容空間２２が下向きに開口して設けられている。本例では、上蓋側弾性シール部材２０の下面を凹ませることにより収容空間２２が形成されている。なお、上蓋側弾性シール部材２０をリング状にして、中央の孔を収容空間２２とすることもできる。上蓋側弾性シール部材２０の素材及び性状については、本体側弾性シール部材１７と同じものが使用できる。
【００２１】
前記した上蓋５を開方向に付勢する開方向付勢手段８は板状ばね２３からなり、次のようにして容器本体４と上蓋５との間に設けられている。即ち、図６、図７に示すように、容器本体４の上面部２に上向きに開口した上向き凹部２４が設けられ、上蓋５の下面には上向き凹部２４と概ね平行状態で下向きに開口した下向き凹部２５が上向き凹部２４より後方に位置をずらして設けられており、板状ばね２３は、その下端部が上向き凹部２４に差し込まれ、上端部が下向き凹部２５に差し込まれ取り付けられている。
【００２２】
このように、上向き凹部２４と下向き凹部２５とを前後にずらして設けると、上蓋５を閉じた状態では、図６に示すように、板状ばね２３が上向きに大きく撓んだ部分と下向きに大きく撓んだ部分とが隣り合わせにでき、その撓み率が大きく、板状ばね２３に強い復元力が得られ、その復元力をもって上蓋５が開ける方向に付勢されることになる。
板状ばね２３としては反発弾性が良好なシリコーンゴム、クロロプレンゴム、ウレタンゴム、天然ゴム、熱可塑性エラストマー（ＴＰＥ）が使用でき、これらの内、耐圧縮永久歪性からシリコーンゴムが最も好ましい。また、硬度（ＪＩＳ  Ｋ６２５３）は６０から８０度が好ましい。
【００２３】
また、ヒンジ部７と反対側の容器本体４に設けられて、付勢手段９により付勢され回動して上蓋５を閉状態にロックすると共に付勢手段９の付勢に抗する回動により閉状態のロックを解除する操作を行う開閉操作手段１０にあっては、図８乃至図１０に示すように、中程にヒンジ部１１を構成する回転軸２６を有し、回転軸２６を挟んで一側を係止片２７、他側を押圧操作片２８とする操作体２９とからなっている。
【００２４】
そして、係止片２７の先端には上蓋５の縁部に設けた係止部３０と係止する係止部３１を有しており、付勢手段９により付勢され回転軸２６を中心にして操作体２９が回動し、閉じた上蓋５の係止部３０に係止片２７の先端に設けた係止部３１が係止して上蓋５が閉状態にロックされ、操作体２９を付勢手段９の付勢に抗する方向に回動することにより係止片２７の先端に設けた係止部３１が上蓋５の係止部３０から外れ、上蓋５の閉状態のロックが解除されるようになっている。
【００２５】
操作体２９を付勢する付勢手段９にあっては、操作体２９の下面にその一端が固定し他端が開放端となっている弧片からなるばね部３２からなり、該ばね部３２が回転軸２６の軸方向に沿って所定間隔で複数設けられた構成となっている。
そして、ばね部３２は、その開放端が容器本体４の上面部２に当接し、操作体２９のロック解除方向への回動により圧縮されるようになっている。
【００２６】
また、図１０に示すように、操作体２９における押圧操作片２８の端部からばね部３２までの距離Ａは、ばね部３２から回転軸２６までの距離Ｂより大きくなっている。特に、押圧操作片２８の端部からばね部３２までの距離Ａ：ばね部３２から回転軸２６までの距離Ｂの比が、３：２〜３：１が好適である。こよのようにすると、操作体２９における押圧操作片２８の押圧操作が軽い力で容易に行え、押圧操作片２８を押し下げたとき、ばね部３２により大きな力を伝達することができ、よって、ばね部３２をより耐久性のある剛性の高い構造とすることができる。
【００２７】
また、容器本体４の底面部１２には、ウエットティシュ６を前部、即ち前面部１３に対して後部、即ち背面部１５側が上がった傾斜状態にする傾斜部３３が設けられている。本例の傾斜部３３は、底面部１２の上に複数枚の三角形状板３４を配置して構成している。この傾斜部３３の傾斜角度は、５〜３０度の範囲が好適である。傾斜部３３の傾斜角度が５度を下回ると、傾斜による改善効果が殆どなくなり、傾斜部３３の傾斜角度が３０度を上回ると、容器本体４の傾斜角度がきつくなり、容器本体４が不安定になる。また、開口部３有する容器本体４の上面部２は、傾斜部３３と概ね平行となる傾斜をもって形成されている。
【００２８】
このように構成されたウエットティシュ収納容器１では、容器本体４における開口部３の周囲に、本体側弾性シール部材１７が容器本体４における上面部２の上面に露出するように設けられ、上蓋５の下面には上蓋５の閉鎖時に本体側弾性シール部材１７と圧接する上蓋側弾性シール部材２０が露出するように設けられているので、上蓋５の閉鎖時に、本体側弾性シール部材１７と上蓋側弾性シール部材２０が圧接し、本体側弾性シール部材１７と上蓋側弾性シール部材２０の間が確実にシール状態となる。
【００２９】
特に、本例では、本体側弾性シール部材１７の上面に、同じゴム製で起立リブ１７ａがリング状に突設されているので、本体側弾性シール部材１７に上蓋側弾性シール部材２０が圧接したとき、起立リブ１７ａが上蓋側弾性シール部材２０に食い込み、本体側弾性シール部材１７と上蓋側弾性シール部材２０の間のシールが一層確実なものとなる。
【００３０】
また、容器本体４の開口部３には、その周囲に本体側弾性シール部材１７の内側に沿って起立する内壁部１９が設けられているので、開口部３からウエットティシュ６を引き出す際に、ウエットティシュ６が開口部３の周囲に起立する内壁部１９により本体側弾性シール部材１７との接触が阻止されることになり、本体側弾性シール部材１７による接触抵抗を受けずに容易に引き出すことができる。
【００３１】
また、上蓋５に設けられた上蓋側弾性シール部材２０によって囲まれた部分には、開口部３から飛び出たウエットティシュ６の引き出し部位を収容する収容空間２２が下向きに開口して設けられているので、上蓋５を閉じたとき、開口部３から飛び出ているウエットティシュ６の引き出し部位が収容空間２２内に収容され、本体側弾性シール部材１７と上蓋側弾性シール部材２０の間に挟まれるといったことがなくなる。
【００３２】
また、上蓋５を開方向に付勢する開方向付勢手段８は板状ばね２３からなり、容器本体４の上面部２に上向きに開口した上向き凹部２４が設けられ、上蓋５の下面には上向き凹部２４と概ね平行状態で下向きに開口した下向き凹部２５が上向き凹部２４より後方に位置をずらして設けられており、板状ばね２３は、その下端部が上向き凹部２４に差し込まれ、上端部が下向き凹部２５に差し込まれ取り付けられているので、上蓋５を閉じた状態では、板状ばね２３が上向きに大きく撓んだ部分と下向きに大きく撓んだ部分とが隣り合わせにでき、その撓み率が大きく、板状ばね２３に強い復元力が得られ、その復元力をもって上蓋５が開ける方向に付勢される。
【００３３】
また、ヒンジ部７と反対側の容器本体４に設けられて、付勢手段９により付勢され回動して上蓋５を閉状態にロックし及び付勢手段９の付勢に抗する回動により閉状態のロックを解除する操作を行う開閉操作手段１０にあっては、中程にヒンジ部７を構成する回転軸２６を有し、回転軸２６を挟んで一側を係止片２７、他側を押圧操作片２８とする操作体２９とからなり、操作体２９を付勢する付勢手段９にあっては、操作体２９における押圧操作片２８の下面にその一端が固定し他端が開放端となっている弧片からなる複数のばね部３２で構成され、ばね部３２は、その自由端が容器本体４の上面部２に当接し、操作体２９のロック解除方向への回動により圧縮されるようになっているので、操作体２９を押圧操作片２８を押し下げてロック解除操作を行う際、ばね部３２が安定して変形し、特に操作体２９が幅広であっても、全体を安定的に付勢できる。
【００３４】
本例では、操作体２９における押圧操作片２８の端部からばね部３２までの距離Ａは、ばね部３２から回転軸２６までの距離Ｂより大きくなっているので、操作体２９における押圧操作片２８の押圧操作が軽い力で容易に行え、押圧操作片２８を押し下げたとき、ばね部３２により大きな力を伝達することができ、よって、ばね部３２をより耐久性のある剛性の高い構造とすることができる。
【００３５】
また、容器本体４の底面部１２には、ウエットティシュ６を前部に対して後部が上がった傾斜状態にする傾斜部３３が設けられているので、容器本体４の上面部２に有する開口部３が使用者に向かって傾斜した状態となり、ウエットティシュ６の取り出しをスムーズに行える。
【００３６】
次に、上記のように構成されたウエットティシュ収納容器１に装着する外装体を図面に示した実施例に基づいて詳細に説明する。
図１２及び図１３は、本発明に係る外装体の第１実施例を示したもので、図１２は本例の外装体をウエットティシュ収納容器に装着した状態を示す斜視図、図１３は本例の外装体をウエットティシュ収納容器に装着した状態を示す側面図である。
【００３７】
本例の外装体３５は、両側部を開口し、前述したウエットティシュ収納容器１を内部に収容する略台形筒状体３６からなる。略台形筒状体３６は、ウエットティシュ収納容器１の底部３７を載せる底面板部３８と、底面板部３８から起立されていてウエットティシュ収納容器１の前部３９を覆う前面板部４０と、底面板部３８から起立されていてウエットティシュ収納容器１の背部４１を覆う背面板部４２と、前面板部４０と背面板部４２の両端に連続して設けられていてウエットティシュ収納容器１の上部４３を覆ってウエットティシュ収納容器１の上部４３の最高頂部４４に接触する上面板部４５とを備え、前面板部４０がウエットティシュ収納容器１の前部３９に接触して傾斜状態で立ち上がり且つ背面板部４２がウエットティシュ収納容器１の背部４１に接触して傾斜状態で立ち上がるように上面板部４５の幅が底面板部３８の幅より狭く設定された構成となっている。
【００３８】
本例では、略台形筒状体３６には、収容したウエットティシュ収納容器１の上蓋５と開閉操作手段１０に対応して窓４６が開けられている。また、外装体３５は、紙またはプラスチック等で構成することができるが、本例では紙で構成されている。
【００３９】
このように構成された外装体３５は、前記の上面部２が傾斜したウエットティシュ収納容器１に装着すると、ウエットティシュ収納容器１の傾斜している上面部２の上に外装体３５を構成する略台形筒状体３６の上面板部４５がほぼ水平状態で存在することになり、外装体３５をウエットティシュ収納容器１に装着することにより、容器本体４の上面部２が傾斜していても外装体３５を介して上下方向に安定した状態で重ねておくことができる。
【００４０】
また、略台形筒状体３６の筒状の両端は開口されているので、ウエットティシュ収納容器１に容易に装着することができ、さらに、略台形筒状体３６の略台形といった構造上の特徴と、略台形筒状体３６はウエットティシュ収納容器１の外周に接触しており両者の間の空間が小さいといったことから、ウエットティシュ収納容器１に装着したときにおける外装体３５の機械的強度が強く、外装体３５を装着したウエットティシュ収納容器１を積み重ねたとき変形することなく、安定した状態で積み重ね状態を維持することができる。
【００４１】
図１４及び図１５は前述した外装体３５の比較例として挙げた外装体を示したものである。図１４は比較例の外装体４７をウエットティシュ収納容器１に装着した状態を示す側面図、図１５は比較例の外装体４７をウエットティシュ収納容器１に装着した状態のものを上下に重ねた状態の説明図である。
【００４２】
この比較例として示す外装体４７は、前述したウエットティシュ収納容器１を収容する四角筒状体４８を有する。この四角筒状体４８は、ウエットティシュ収納容器１の外周に装着して図１６に示すように重ねると、四角筒状体４８はウエットティシュ収納容器１の外周との空間が大きく機械的強度が弱く、上側に重ねたウエットティシュ収納容器１の重量でつぶれて変形してしまう。
【００４３】
図１６及び図１７は、本発明に係る外装体の第２実施例を示したもので、図１６は本例の外装体をウエットティシュ収納容器に装着した状態を示す斜視図、図１７は本例の外装体をウエットティシュ収納容器に装着した状態を示す側面図である。
【００４４】
本例の外装体４９は、両側部を開口し、前述したウエットティシュ収納容器１を内部に収容する略台形筒状体５０からなる。略台形筒状体５０は、ウエットティシュ収納容器１の底部３７を載せる底面板部５１と、底面板部５１から起立されていてウエットティシュ収納容器１の前部３９を覆う前面板部５２と、底面板部５１から起立されていてウエットティシュ収納容器１の背部４１を覆う背面板部５３と、前面板部５２と背面板部５３の両端に連続して設けられていてウエットティシュ収納容器１の上部４３を覆ってウエットティシュ収納容器１の上部４３の最高頂部４４に接触する上面板部５４とを備えている。
【００４５】
そして、上面板部５４には前面板部５２との接続折れ線部５５に接近した位置に、接続折れ線部５５に沿って下向きのＶ字折り曲げ部５６が形成されており、Ｖ字折り曲げ部５６で下向きに折り曲げられた上面板部５４における背面板部５３側の面がウエットティシュ収納容器１の上部４３、即ち容器本体４の上面部２に接触するように傾斜し、そして、Ｖ字折り曲げ部５６の存在により前面板部５２がウエットティシュ収納容器１の前部３９に接触して傾斜状態で立ち上がり且つ背面板部５３がウエットティシュ収納容器１の背部４１に接触して傾斜状態で立ち上がり、上面板部５４と前面板部５２との間の接続折れ線部５５により形成される頂部５７と、上面板部５４と背面板部５３との間の接続折れ線部５８により形成される頂部５９が同じ高さとなるように設定された構成となっている。
上面板部５４に形成された下向きのＶ字折り曲げ部５６は、接続折れ線部５５に接近した位置に接続折れ線部５５と平行に設けた折り曲げ線５６ａを谷折りすることにより形成されている。
【００４６】
本例では、略台形筒状体５０には、収容したウエットティシュ収納容器１の上蓋５と開閉操作手段１０に対応して窓６０が開けられている。また、外装体４９は、紙またはプラスチック等で構成することができるが、本例では紙で構成されている。
【００４７】
このように構成された外装体４９は、前記の上面部２が傾斜したウエットティシュ収納容器１に装着すると、このウエットティシュ収納容器１の傾斜している上面部２の上に外装体４９を構成する略台形筒状体５０の上面板部５４と前面板部５２との間に形成される頂部５７と、上面板部５４と背面板部５３との間に形成される頂部５９が同じ高さとなって存在することになるので、外装体４９をウエットティシュ収納容器１に装着することにより、容器本体４の上面部２が傾斜していても外装体４９を介して上下方向に安定した状態で重ねておくことができる。
【００４８】
さらに、略台形筒状体５０の略台形といった構造上の特徴と、略台形筒状体５０の上面板部５４には前面板部５２との接続折れ線部５５に沿って下向きのＶ字折り曲げ部５６が存在し、且つ略台形筒状体５０はウエットティシュ収納容器１の外周に接触しており両者の間の空間が小さいといったことから、ウエットティシュ収納容器１に装着したときにおける外装体４９の機械的強度がより強く、外装体４９を装着したウエットティシュ収納容器１を積み重ねたとき変形することなく、安定した状態で積み重ね状態を維持することができる。
【００４９】
図１８は、図１６及び図１７に示す本発明に係る第２実施例の外装体の展開図である。
この展開図において、背面板部５３の開放端縁に貼り代部６１設けられており、底面板部５１の開放端縁に貼着される。また、底面板部５１には、外装体４９を平面状に折り畳めるような位置に折り曲げ線６２が形成されている。
この場合、背面板部５３の幅と上面板部５４の幅とを合わせた幅をＸとし、前面板部５２の幅とこの前面板部５２に接する側の底面板部５１の端部から折り曲げ線６２までの底面板部５１の幅とを合わせた幅をＹとし、折り曲げ線６２から底面板部５１の開放端縁までの底面板部５１の幅をＺとしたとき、Ｘ＋Ｚ＝Ｙとなるように設定している。
【００５０】
このようにすることにより、外装体４９を、前面板部５２と上面板部５４との接続折れ線部５５と折り曲げ線６２との箇所で折りたたむことにより平面状になり、外装体４９の保管性や輸送効率を向上させることができる。
なお、この折り曲げ線６２は、前述した図１２及び図１３に示す第１実施例の外装体３５の底面板部３８にも同様にして設けることができる。
【符号の説明】
【００５１】
１  ウエットティシュ収納容器
２  上面部
３  開口部
４  容器本体
５  上蓋
６  ウエットティシュ
７  ヒンジ部
８  開方向付勢手段
９  付勢手段
１０  開閉操作手段
１１  ヒンジ部
１２  底面部
１３  前面部
１４  側面部
１５  背面部
１６  本体部
１７  本体側弾性シール部材
１７ａ  起立リブ
１８  嵌め込み凹部
１９  内壁部
２０  上蓋側弾性シール部材
２１  ブラケット
２２  収容空間
２３  板状ばね
２４  上向き凹部
２５  下向き凹部
２６  回転軸
２７  係止片
２８  押圧操作片
２９  操作体
３０  係止部
３１  係止部
３２  ばね部
３３  傾斜部
３４  三角形状板
３５  外装体
３６  略台形筒状体
３７  底部
３８  底面板部
３９  前部
４０  前面板部
４１  背部
４２  背面板部
４３  上部
４４  最高頂部
４５  上面板部
４６  窓
４７  外装体
４８  四角筒状体
４９  外装体
５０  略台形筒状体
５１  底面板部
５２  前面板部
５３  背面板部
５４  上面板部
５５  接続折れ線部
５６  Ｖ字折り曲げ部
５６ａ  折り曲げ線
５７  頂部
５８  接続折れ線部
５９  頂部
６０  窓
６１  貼り代部
６２  折り曲げ線
【図１】
2014088218.tif 000003
【図２】
2014088218.tif 000004
【図３】
2014088218.tif 000005
【図４】
2014088218.tif 000006
【図５】
2014088218.tif 000007
【図６】
2014088218.tif 000008
【図７】
2014088218.tif 000009
【図８】
2014088218.tif 000010
【図９】
2014088218.tif 000011
【図１０】
2014088218.tif 000012
【図１１】
2014088218.tif 000013
【図１２】
2014088218.tif 000014
【図１３】
2014088218.tif 000015
【図１４】
2014088218.tif 000016
【図１５】
2014088218.tif 000017
【図１６】
2014088218.tif 000018
【図１７】
2014088218.tif 000019
【図１８】
2014088218.tif 000020
【図１９】
2014088218.tif 000021
【図２０】
2014088218.tif 000022